【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
光ネットワークに用いられる区分分散補償アーキテクチャを構築する方法であって：
該方法は、ネットワーク内の光伝送距離の一部分に基づいて前記光ネットワークのスイッチレディー光ネットワーク領域について最大伝播長さを決定するステップを含み、前記最大伝播長さが前記光ネットワーク領域の物理的境界を越えることができ；
該方法は、決定された最大伝播長さに基づいて総分散の少なくとも１つの領域ターゲット値を決定するステップを含み；
該方法は、前記領域ターゲット値の一部を前記分散セクションの長さに基づいて前記光ネットワーク領域の分散セクションに割り当てるステップを含み、前記分散セクションが光伝送媒体で相互接続されている前記光ネットワーク領域内の二つの隣り合うノードで構成されており；
該方法は、前記領域ターゲット値の割り当てられた部分に基づいて前記分散セクションについての分散補償手段を決定するステップを含む；
ことを特徴とする方法。
【請求項２】
選択された分散補償手段を該分散セクションに対して動作可能に適用するステップを更に含むことを特徴とする請求項１に記載の方法。
【請求項３】
総分散の前記領域ターゲット値の一部を前記光ネットワーク領域の各分散セクションに割り当てるステップと；
前記光ネットワーク領域の各分散セクションについての分散補償手段を決定するステップと；
を更に含むことを特徴とする請求項１に記載の方法。
【請求項４】
総分散の領域ターゲット値の前記決定は、光信号の変調フォーマットと、光信号の光学的パワー・レベルと、光伝送媒体のファイバーのタイプとに基づくことを特徴とする請求項１に記載の方法。
【請求項５】
前記の領域ターゲット値の決定はスイッチレディー領域の少なくとも１つの受信装置の分散許容範囲に基づくことを特徴とする請求項１に記載の方法。
【請求項６】
前記の領域ターゲット値の決定は、非理想的動作条件下での少なくとも１つの光通信システムのコンポーネントの動作の不確定性に基づくことを特徴とする請求項１に記載の方法。
【請求項７】
前記割り当ては、決定された領域ターゲット値、分散セクションの長さ、及び決定された最大伝播長さに基づいて分散セクションについて総分散のセクション・ターゲット値を決定することに対応することを特徴とする請求項１に記載の方法。
【請求項８】
分散セクションについての総分散のセクション・ターゲット値Ｄｓｅｃは：
Ｄｓｅｃ＝Ｄｒｅａｃｈ*Ｌｓｅｃ／Ｌｒｅａｃｈ
に従って、決定された領域ターゲット値Ｄｒｅａｃｈ、分散セクションの長さＬｓｅｃ、及び決定された最大伝播長さＬｒｅａｃｈに基づくことを特徴とする請求項１に記載の方法。
【請求項９】
スイッチレディー光ネットワーク領域を特定するステップを含むことを特徴とする請求項１に記載の方法。
【請求項１０】
光信号バンドを伝送している領域の光伝送媒体と列を成すように配置された分散補償手段を介して、決定された最大伝播長さで領域ターゲット値を達成することのできる光学的波長範囲を特定するステップを含むことを特徴とする請求項１に記載の方法。
【請求項１１】
前記割り当て及び特定された範囲に基づいてバンド・レベル分散補償手段を選択するステップを含むことを特徴とする請求項１０に記載の方法。
【請求項１２】
該方法は、バンド・レベル分散補償手段をセクションの光伝送媒体と列を成すように配置するステップを含んでおり、該光伝送媒体は光信号バンドを伝送していることを特徴とする請求項１１に記載の方法。
【請求項１３】
前記の割り当てと特定された範囲とに基づいてサブバンド・レベル分散補償手段を選択するステップを含むことを特徴とする請求項１０に記載の方法。
【請求項１４】
該方法は、該サブバンド・レベル分散補償手段をセクションの光伝送媒体と列を成すように配置するステップを含んでおり、該光伝送媒体は光信号バンドのサブバンドを伝送しているが光信号バンドを伝送してはいないことを特徴とする請求項１３に記載の方法。
【請求項１５】
前記の割り当てと特定された範囲とに基づいて波長レベル分散補償手段を選択するステップを含むことを特徴とする請求項１０に記載の方法。
【請求項１６】
該方法は、波長レベル分散補償手段をセクションの光伝送媒体と列を成すように配置するステップを含んでおり、該光伝送媒体は光信号の１つの波長を伝送しているが光信号バンドを伝送してはいないことを特徴とする請求項１５に記載の方法。
【請求項１７】
光通信システムであって：
該システムは光領域の光信号を作り、また受け取るように動作可能な複数のエッジ・ノードを含み；
該システムは光信号が光領域から出ないように光信号を経路指定するように動作可能な複数の光スイッチング・ノードを含み；
該システムは、該システムの隣接するノード間で光信号を動作可能に伝送する光伝送媒体を含み、前記光伝送媒体を通る光信号伝播の最大長さに従って最大伝播長さＬｒｅａｃｈが定められ、前記エッジノードの物理的境界を越えることができ、最大伝播長さＬｒｅａｃｈの実質的に最悪のケース・シナリオと、システム受信ノードの分散許容範囲と、光信号の変調フォーマットと、光信号の光学的パワー・レベルと、光伝送媒体のファイバー・タイプとに従って総分散のシステム・ターゲット値Ｄｒｅａｃｈが定められ；
該システムは隣接するノードと該ノード間の前記光伝送媒体とに対して動作可能に使用される分散補償手段を含み、その間の前記光伝送媒体の長さに応じて分散セクション長さＬｓｅｃが定められ、前記手段は：
Ｄｓｅｃ＝Ｄｒｅａｃｈ*Ｌｓｅｃ／Ｌｒｅａｃｈ
に従って総分散のセクション・ターゲット値Ｄｓｅｃを補償するように選択されることを特徴とするシステム。
【請求項１８】
前記分散補償手段は、該光信号バンドを伝送している該システムの光伝送媒体と列を成すように配置されている分散補償手段を介して、最大伝播長さにおいてシステム・ターゲット値を達成することが可能な光信号バンドの特定された波長範囲に基づいて選択され、前記分散補償手段は：
前記光伝送媒体が光信号バンドを伝送している伝送ポイントで前記光伝送媒体と列を成すように動作可能に配置された複数のバンド・レベル・ライン補償器と；
前記光伝送媒体が光信号バンドを伝送している伝送ポイントで前記光伝送媒体と列を成すように動作可能に配置されたバンド・レベルの前置補償器及び後置補償器と；
前記光伝送媒体が光信号バンドのサブバンドを伝送しているが光信号バンドを伝送してはいない伝送ポイントにおいて前記光伝送媒体と列を成すように動作可能に配置されたサブバンド・レベル分散補償手段と；
を含むことを特徴とする請求項１７に記載のシステム。
【請求項１９】
前記光伝送媒体が光信号バンドの１つの波長を伝送しているが光信号バンドを伝送してはいない伝送ポイントにおいて前記光伝送媒体と列を成すように動作可能に配置された波長レベル分散補償手段を更に含むことを特徴とする請求項１８に記載のシステム。
【手続補正２】
【補正対象書類名】明細書
【補正対象項目名】０００８
【補正方法】変更
【補正の内容】
【０００８】
光ネットワークに用いられる区分分散補償アーキテクチャを構築する方法であって、該方法は、ネットワーク内の光伝送距離の一部分に基づいて光ネットワークのスイッチレディー光ネットワーク領域について最大伝播長さを決定するステップを含み、最大伝播長さが光ネットワーク領域の物理的境界を越えることができ、該方法は、決定された最大伝播長さに基づいて総分散の少なくとも１つの領域ターゲット値を決定するステップを含み、該方法は、領域ターゲット値の一部を分散セクションの長さに基づいて光ネットワーク領域の分散セクションに割り当てるステップを含み、分散セクションが光伝送媒体で相互接続されている光ネットワーク領域内の二つの隣り合うノードで構成されており、該方法は、領域ターゲット値の割り当てられた部分に基づいて分散セクションについての分散補償手段を決定するステップを含む、ことを特徴とする。